(57)【特許請求の範囲】
【請求項１】
両替カードを用いて両替を行う自動両替装置において、
カード利用者を区分するための区分情報が記録された両替カードを受け入れて、当該カードに記録されている区分情報を読み取る読取手段と、
前記読取手段が読み取った区分情報に基づいて、利用者の区分に応じた両替処理を実行する制御手段と、を備え、
前記制御手段は、前記区分情報に基づいて、両替カードが一般利用者用のカードか、一般利用者以外の特定利用者用のカードかを判定し、
一般利用者用のカードと判定したときは、両替処理時に両替カードを返却し、
特定利用者用のカードと判定したときは、両替処理時に両替カードを回収またはただちに返却することを特徴とする自動両替装置。
【請求項２】
両替カードを用いて両替を行う自動両替装置において、
カード利用者を一般客、一時利用客、係員に区分するための区分情報が記録された両替カードを受け入れて、当該カードに記録されている区分情報を読み取る読取手段と、
前記読取手段が読み取った区分情報に基づいて、利用者の区分に応じた両替処理を実行する制御手段と、を備え、
前記制御手段は、前記区分情報に基づいて、両替カードが一般客用カードか、一時利用客用カードかを判定し、
一般客用カードと判定したときは、両替処理時に両替カードを返却し、
一時利用客用カードと判定したときは、両替処理時に両替カードを回収することを特徴とする自動両替装置。
【請求項３】
両替カードを用いて両替を行う自動両替装置において、
カード利用者を一般客、一時利用客、係員に区分ための区分情報が記録された両替カードを受け入れて、当該カードに記録されている区分情報を読み取る読取手段と、
前記読取手段が読み取った区分情報に基づいて、利用者の区分に応じた両替処理を実行する制御手段と、を備え、
前記制御手段は、前記区分情報に基づいて、両替カードが一般客用カードか、係員用カードかを判定し、
一般客用カードと判定したときは、両替処理時に両替カードを返却し、
係員用カードと判定したときは、カードをただちに返却した後に両替処理を行うことを特徴とする自動両替装置。
【請求項４】
両替カードを用いて両替を行う自動両替装置において、
カード利用者を一般客、一時利用客、係員に区分ための区分情報が記録された両替カードを受け入れて、当該カードに記録されている区分情報を読み取る読取手段と、
前記読取手段が読み取った区分情報に基づいて、利用者の区分に応じた両替処理を実行する制御手段と、を備え、
前記制御手段は、前記区分情報に基づいて、両替カードが一般客用カードか、一時利用客用カードか、係員用カードかを判定し、
一般客用カードと判定したときは、両替処理時に両替カードを返却し、
一時利用客用カードと判定したときは、両替処理時に両替カードを回収し、
係員用カードと判定したときは、カードをただちに返却した後に両替処理を行うことを特徴とする自動両替装置。
【請求項５】
請求項２ないし請求項４のいずれかに記載の自動両替装置において、
両替カードが一般客用カードである場合に、当該カードに記録されているカード有効期限を表示する表示手段を備えたことを特徴とする自動両替装置。
【請求項６】
請求項２ないし請求項５のいずれかに記載の自動両替装置において、
両替カードが一般客用カードである場合に、当該カードに有効期限が記録されていないときは、予め設定された有効期間に基づいて、カードの利用日から起算した有効期限を両替カードに記録する有効期限記録手段を備えたことを特徴とする自動両替装置。
【請求項７】
請求項２ないし請求項６のいずれかに記載の自動両替装置において、
両替カードが一般客用カードである場合に、当該カードの有効期限が切れているときは、予め設定された有効期間に基づいて、カードの利用日から起算した有効期限を両替カードに記録して有効期限を更新する有効期限更新手段を備えたことを特徴とする自動両替装置。
【請求項８】
請求項７に記載の自動両替装置において、
有効期限更新手段は、所定の更新手数料が支払われたことを条件として、両替カードの有効期限を更新することを特徴とする自動両替装置。
【請求項９】
請求項２ないし請求項４のいずれかに記載の自動両替装置において、
両替カードが一般客用カードである場合に、当該カードの有効度数が切れているときは、客により入金された金額に対応する度数を両替カードに記録する度数記録手段を備えたことを特徴とする自動両替装置。
【請求項１０】
請求項２ないし請求項４のいずれかに記載の自動両替装置において、
両替カードが一般客用カードである場合に、所定期間内のカードの使用回数が予め設定された使用可能回数を超えないときは、当該カードによる両替処理を実行するとともに使用回数を更新してカードに記録し、所定期間内のカードの使用回数が予め設定された使用可能回数を超えるときは、当該カードを返却して両替処理を禁止することを特徴とする自動両替装置。
【請求項１１】
請求項２ないし請求項４のいずれかに記載の自動両替装置において、
両替カードが一般客用カードである場合に、当該カードに支店番号が記録されていないときは、当該両替装置が設置されている支店の支店番号を両替カードに記録する支店番号記録手段を備え、当該支店番号が記録された両替カードをその支店においてのみ利用可能としたことを特徴とする自動両替装置。
【発明の詳細な説明】
【０００１】
【発明の属する技術分野】
本発明は、両替カードを用いて両替を行う自動両替装置に関するものである。
【０００２】
【従来の技術】
自動両替装置は、受け入れた現金を指定された金種の貨幣に両替して出金する装置である。このような自動両替装置は、銀行等の金融機関に設置されるが、両替はいわば顧客へのサービスとして行われるものであって、金融機関にとってはそれ自体が付加価値を生み出すものではない。しかるに、自動両替装置を設置している金融機関においては、装置内部の紙幣や硬貨の残量を管理して、残量が少なくなった場合には紙幣や硬貨を補填しなければならず、これによって作業コストが発生する。そこで、両替装置の利用者を制限してコスト負担を軽減するために、金融機関が両替カードを発行し、利用者がこのカードを両替装置のカードリーダへ挿入することにより両替が行われるようにして、両替カードを所持する客に対してのみ両替を可能とする運用が行われている。この両替カードは有料または無料で発行され、たとえば金融機関に口座を有する顧客には無料で発行され、それ以外の者には有料で発行される。
【０００３】
【発明が解決しようとする課題】
しかしながら、従来にあっては、両替カードを所持しておらず一時的に両替を行いたい利用者は、両替装置で両替をすることができないので、窓口へ行って両替申込用紙に所定事項を記入した上で両替をしてもらう必要がある。また、両替カードの交付を受けている利用者が、たまたまカードの携帯を忘れた場合も、その利用者は窓口で両替をしてもらう必要がある。このように、従来の両替装置では、一時的な両替客や、カードを忘れた両替客に対して対応することができないため、利用者からすれば両替に手間と時間がかかるとともに、金融機関にとっても窓口業務の負担増となっていた。
【０００４】
一方、カードを持参しない利用者に対して両替装置で両替ができるようにするために、両替カードの発行機能を備えた自動両替装置が特許第２７９２９３６号公報に記載されている。この両替装置においては、投入された金額からカード発行手数料を減額し、減額後の残額の範囲内で両替が行われるようにしている。これによれば、カードを持参しない利用者であっても、カード発行手数料を支払うことを条件として、両替装置を利用して両替を行うことができる。
【０００５】
しかるに、上記公報の自動両替装置では、両替装置にカードを発行するための機構を内蔵する必要があるので、既存の装置で対応することができず、カード発行機構が付加される分だけ装置が複雑で大型化するとともに、コストも高くなるという問題がある。
【０００６】
本発明は、上記問題点を解決するものであって、その課題とするところは、両替カードを持参しない利用者であっても両替が可能であり、しかも既存の装置で対応することができる自動両替装置を提供することにある。
【０００７】
【課題を解決するための手段】
本発明に係る自動両替装置は、カード利用者を区分するための区分情報が記録された両替カードを受け入れて、当該カードに記録されている区分情報を読み取る読取手段と、前記読取手段が読み取った区分情報に基づいて、利用者の区分に応じた両替処理を実行する制御手段とを備える。制御手段は、区分情報に基づいて、両替カードが一般利用者用のカードか、一般利用者以外の特定利用者用のカードかを判定する。そして、一般利用者用のカードと判定したときは、両替処理時に両替カードを返却し、特定利用者用のカードと判定したときは、両替処理時に両替カードを回収またはただちに返却する。
【０００８】
ここで、「一般利用者」とは、予め両替カードの交付を受けた利用者をいう。「一般利用者用のカード」とは、一般利用者に交付された両替カードであって、一般利用者が両替の際に利用する通常の両替カードをいい、以下の実施形態においては「一般客用カード」がこれに相当する。また、「特定利用者」とは、一時的に両替を行う利用者や、交付された両替カードを忘れた利用者のように、カードを持参しない利用者をいう。「特定利用者用のカード」とは、特定利用者には予め交付されないカードであって、特定利用者が両替の際に利用する特別の両替カードをいい、以下の実施形態においては「一時利用客用カード」や「係員用カード」がこれに相当する。
【０００９】
こうして、本発明では、一般利用者用のカードと特定利用者用のカードを用意し、両替装置がこれらのカードを受け入れて所定の両替処理を行うので、一般利用者だけでなく、カードを持参しない特定利用者も両替装置での両替が可能となる。そして、両替カードが特定利用者用のカードと判定されたときは、両替カードが特定利用者に渡らないようにカード処理を行うので、特定利用者がカードを持ち帰って再利用するような悪用を未然に防止することができる。また、両替装置はカードの発行機能を必要とせず、カードの読取り機能を備えるだけでよいので、カード処理のソフトウエアを変更するだけで、既存の両替装置で対応することが可能となる。
【００１０】
本発明の自動両替装置では、カードが一般客用カードと判定されたときは、通常の両替処理が行われ、両替処理時に両替カードが返却される。また、カードが一時利用客用カードと判定されたときは、両替処理時に両替カードが回収される。このため、利用者が一時利用客用カードを持ち帰って再利用することはできなくなる。また、カードが係員用カードと判定されたときは、カードをただちに返却した後、両替処理が行われる。係員用カードの場合は、係員によってカードが両替装置へ挿入されるが、すぐにカードが返却されるため、係員はその場でカードを回収することができ、利用者が係員用カードを持ち帰って再利用することはできなくなる。さらに、係員は両替が終了するまで利用者に付き添う必要はなく、カード回収後にその場を離れて他の客に応対することが可能となる。
【００１１】
本発明の自動両替装置では、両替カードが一般客用カードである場合に、種々の付加的機能を追加することができる。たとえば、両替カードに有効期限が設定されている場合は、当該カードに記録されているカード有効期限を表示するようにしてもよい。このようにすることで、利用者はその両替カードがいつまで有効に利用できるかを両替の際に確認することができる。
【００１２】
また、両替カードに有効期限が記録されていないときは、予め設定された有効期間に基づいて、カードの利用日から起算した有効期限を両替カードに記録するようにしてもよい。このようにすることで、予め有効期限を記録した両替カードを発行する場合に比べて、有効期限を弾力的に運用することができ、利用者の便宜が図られる。
【００１３】
また、両替カードの有効期限が切れているときは、予め設定された有効期間に基づいて、カードの利用日から起算した有効期限を両替カードに記録して有効期限を更新するようにしてもよい。このようにすることで、利用者は両替カードを引き続いて利用することが可能となる。この場合、所定の更新手数料が支払われたことを条件として、有効期限を更新するようにしてもよい。
【００１４】
また、両替カードに使用回数を規制する度数が記録される場合、カードの有効度数が切れているときは、客により入金された金額に対応する度数を両替カードに記録するようにしてもよい。このようにすることで、利用者は両替カードを引き続いて利用することが可能となる。
【００１５】
また、所定期間（たとえば１か月）内のカードの使用回数が予め設定された使用可能回数を超えないときは、当該カードによる両替処理を実行するとともに使用回数を更新してカードに記録し、使用可能回数を超えるときは、当該カードを返却して両替処理を禁止するようにしてもよい。このようにすることで、両替カードの所定期間内の使用回数に制限を設けることができる。
【００１６】
さらに、両替カードをその発行支店でのみ利用可能とするような運用を行う場合、両替カードに支店番号が記録されていないときは、当該両替装置が設置されている支店の支店番号を両替カードに記録してもよい。このようにすることで、金融機関の本部では支店番号の記録されていない共通のカードを用意して、これを全支店に配布すればよいので、本部において各支店ごとの両替カードを作成・管理する必要がなくなる。また、支店の統廃合等により他の支店に業務を引継ぐ場合も、支店番号を書き換えることで、カードを再発行することなく同じカードを用いて、他の支店で両替を行うことができる。
【００１７】
【発明の実施の形態】
図１は、本発明の実施形態に係る自動両替装置Ａの外観図である。図において、１は操作部と表示部とを兼ねるタッチパネルであり、利用者はこのタッチパネル１において両替する金種を指定する。２は紙幣入出金口であって、両替する紙幣が投入されるとともに、両替された紙幣が放出される。３は硬貨取出口であって、両替されたバラ硬貨が放出される。４は包装硬貨取出口であって、両替された包装硬貨が放出される。５はカード挿入口であって、両替時に後述するような各種の両替カードが挿入される。６は明細票取出口であって、両替金額および金種、受付けた手数料等が印字された明細票が放出される。７は取扱状態表示部であって、自動両替装置Ａが取扱い中か、取扱い中止状態であるかを表示する。８は硬貨返却口であって、紙幣に混ざって投入された硬貨が返却される。９は顧客センサであって、顧客が自動両替装置Ａの前に来たことを検知して、タッチパネル１に案内表示を行わせるためのものである。１０は自動両替装置Ａの前扉である。
【００１８】
図２は、自動両替装置Ａの電気的構成を示すブロック図である。１１は操作部、１２は表示部であって、これらは図１に示したタッチパネル１により構成される。１３は紙幣の取込み、鑑別、搬送、繰出し等を行う紙幣処理部、１４はバラ硬貨の鑑別、搬送、放出等を行う硬貨処理部である。１５はカード処理部であって、両替カードに対して読取りや書込みを行うカードリーダライタや、カードの搬送機構から構成される。１６はホスト装置や支店内ＬＡＮ等と接続するための外部インターフェイス、１７は銀行の係員等によって操作される係員パネル部である。係員パネル部１７は、タッチパネルから構成され、自動両替装置Ａの内部に設けられていて、裏扉（図示省略）を開けて係員が操作する。１８はハードディスク、磁気記録媒体、光記録媒体等からなる記憶装置であって、ここには、自動両替装置Ａの設置されている銀行の番号、支店番号、カード区分の情報、カードの有効期間などが、係員パネル部１７での設定または外部（ディスクドライブやＬＡＮ等）から入力されるデータに基づいて記録されている。また、記憶装置１８には顧客情報、両替規制情報、手数料情報などが記録されている。１９は自動両替装置Ａの動作を制御する制御部であって、ＣＰＵ２０、ＲＡＭ２１、ＲＯＭ２２から構成されている。なお、記憶装置１８を省略して、それぞれの情報をＲＡＭ２１やＲＯＭ２２に記録するようにしてもよい。２３は包装硬貨の搬送や放出等を行う包装硬貨処理部、２４はジャーナルへの印字等を行うジャーナル処理部、２５は明細票への印字等を行う明細票処理部である。
【００１９】
上記構成において、タッチパネル１は本発明における表示手段を構成している。また、カード処理部１５は本発明における読取手段、有効期限記録手段、度数記録手段および支店番号記録手段を構成している、また、制御部１９は本発明における制御手段および有効期限更新手段を構成している。
【００２０】
図３は、両替カードを示した概略図である。図３（ａ）の両替カード３０Ａは一般客用カード、図３（ｂ）の両替カード３０Ｂは一時利用客用カード、図３（ｃ）の両替カード３０Ｃは係員用カードである。これらの両替カード３０Ａ，３０Ｂ，３０Ｃは磁気カードからなり、それぞれ磁気ストライプからなる情報記録領域３１Ａ，３１Ｂ，３１Ｃを備えている。なお、一般客用カード３０Ａは利用者が保有し、一時利用客用カード３０Ｂおよび係員用カード３０Ｃは銀行側が保有している。
【００２１】
図４は、一般客用カード３０Ａの情報記録領域３１Ａに記録されているデータ内容の例である。情報記録領域３１Ａには一般客用カードであることを表すカード区分４０が記録されている。一時利用客用カード３０Ｂの情報記録領域３１Ｂにも、一時利用客用カードであることを表すカード区分が記録されており、また、係員用カード３０Ｃの情報記録領域３１Ｃにも、係員用カードであることを表すカード区分が記録されている。これらのカード区分は、たとえば次のように割当てられている。
一般客用カードのカード区分      …  ０１
一時利用客用カードのカード区分  …  ０２
係員用カードのカード区分        …  ０３
これと対応して、記憶装置１８には前述のようにカード区分が設定されている。このカード区分は、たとえば図５に示すような係員パネル部１７の設定画面５０ａにおいてキー５１で設定される。なお、図４において４６は両替カードを発行した支店の支店番号であるが、これについては後述の第６実施形態において説明する。
【００２２】
次に、上述した両替カードを用いて両替を行う場合の手順につき説明する。  この手順は、後述する各実施形態において共通である。銀行から一般客用カード３０Ａの交付を受けている利用者は、そのカードを持参して自動両替装置Ａのカード挿入口５（図１）へ挿入し、従来と同様の方法により両替を行う。自動両替装置Ａの詳細な動作については後で説明する。
【００２３】
一般客用カード３０Ａの交付を受けていない利用者（いわゆる一見客）は、まず窓口へ行って両替申請を行い、所定の手数料を支払って一時利用客用カード３０Ｂの交付を受ける。利用者は、この一時利用客用カード３０Ｂを持って自動両替装置Ａの場所へ行き、そのカードをカード挿入口５へ挿入し、従来と同様の方法により両替を行う。このとき、一時利用客用カード３０Ｂは自動両替装置Ａの内部に回収され、利用者の手には渡らない。したがって、利用者は一時利用客用カード３０Ｂを１回に限り利用できることになる。
【００２４】
一般客用カード３０Ａの交付を受けているが、カードを持参するのを忘れた利用者は、窓口へ行ってその旨を係員に告げる。係員が利用者から住所・氏名・電話番号・口座番号等を聞き出して、カード交付者であることを確認すれば、係員は利用者とともに自動両替装置Ａの場所へ行き、係員自身が携帯する係員用カード３０Ｃをカード挿入口５へ挿入する。係員用カード３０Ｃは挿入後ただちに返却され、係員は返却されたカードを回収して窓口へ戻る。あとは利用者が従来と同様の方法により両替を行う。この場合も、係員用カード３０Ｃは利用者には渡らない。
【００２５】
図６は、本発明の第１実施形態による自動両替装置Ａの動作を示したフローチャートであって、制御部１９のＣＰＵ２０によって実行される手順を示している。最初に、カード挿入口５に両替カードが挿入されると（ステップＳ１）、カード処理部１５（図２）が読み取ったカードの記録情報をチェックし（ステップＳ２）、そのカードが使用可能なカードか否かを判定する（ステップＳ３）。両替カード以外の他のカードのような使用可能でないカードの場合は（ステップＳ３：ＮＯ）、挿入されたカードを返却して（ステップＳ１４）、終了する。使用可能なカードである場合は（ステップＳ３：ＹＥＳ）、次に、カードに記録されているカード区分４０（図４）をチェックし（ステップＳ４）、カード区分が係員用カード（区分：０３）であれば（ステップＳ５：ＹＥＳ）、カードをただちに返却して（ステップＳ６）、ステップＳ７へ移行し、カード区分が係員用カードでなければ（ステップＳ５：ＮＯ）、そのままステップＳ７へ移行する。
【００２６】
ステップＳ７では、紙幣入出金口２のシャッタを開き、入金紙幣を受け付ける。その後、タッチパネル１において金種指定による両替の設定が行われると（ステップＳ８）、紙幣処理部１３は入金された紙幣を搬送して収納部へ収納する（ステップＳ９）。次に、カードに記録されているカード区分４０が一般客用カード（区分：０１）か否かを判定する（ステップＳ１０）。一般客用カードであれば（ステップＳ１０：ＹＥＳ）、カードを返却した後（ステップＳ１１）、両替金を紙幣入出金口２や硬貨取出口３、あるいは包装硬貨取出口４へ放出して（ステップＳ１３）、処理を終了する。また、一般客用カードでなければ（ステップＳ１０：ＮＯ）、そのカードは一時利用客用カードであると判断して、カード処理部１５によりカードを回収し（ステップＳ１２）、その後両替金を放出して（ステップＳ１３）、処理を終了する。
【００２７】
こうして、第１実施形態によれば、カードを持参しない者も、一時利用客用カードや係員用カードによって、自動両替装置Ａを利用して両替を行うことができる。そして、両替カードが一般客用カードでない場合は、カードを回収したり、直ちに係員に返却したりすることで、両替カードが利用者に渡らないようにしているため、利用者がカードを持ち帰って再利用するのを防止することができる。
【００２８】
図７は、本発明の第２実施形態における両替カード（一般客用カード）の記録内容を示した図である。ここでは、カード区分４０のほかに、カードの有効期限４１に関する情報が記録されている。有効期限４１は、予め設定された有効期間（たとえば１年）に基づいて定められる。この有効期限４１は、両替カードの発行時にはカードに記録されておらず、自動両替装置Ａでの初回カード利用時に、当該利用日から起算した有効期限が両替カードに記録されるようになっている。したがって、有効期限としては年月日まで記録される。これに対応して、自動両替装置Ａの記憶装置１８には、有効期間が設定されている（図２）。この有効期間は、たとえば図８に示すような係員パネル部１７の設定画面５０ｂにおいてキー５１で設定される。なお、この設定画面５０ｂでは、図９に示したように、有効期間を０か月に設定することもできる。最初から有効期限運用をせず、所定の日から一斉に有効期限運用をする場合は、有効期間を０か月に設定する。この場合、自動両替装置Ａは、有効期限の記録されていない両替カードが挿入されても、カードに有効期限を記録しない。すなわち、有効期限の運用はせず、両替カードは期限なしで利用できる。そして、設定画面５０ｂで０か月以外の有効期間を設定した日から一斉に有効期限運用が開始され、自動両替装置Ａは、有効期限が未記録のカードに対して、利用日から起算した有効期限を記録する。
【００２９】
図１０は、上述した第２実施形態による自動両替装置Ａの動作を示したフローチャートであって、制御部１９のＣＰＵ２０によって実行される手順を示している。最初に、カード挿入口５に両替カードが挿入されると（ステップＳ２１）、カード処理部１５（図２）が読み取ったカードの記録情報をチェックし（ステップＳ２２）、そのカードが使用可能なカードか否かを判定する（ステップＳ２３）。両替カード以外の他のカードのような使用可能でないカードの場合は（ステップＳ２３：ＮＯ）、挿入されたカードを返却して（ステップＳ３７）、終了する。使用可能なカードである場合は（ステップＳ２３：ＹＥＳ）、次に、カードに記録されているカード区分４０（図４）をチェックし（ステップＳ２４）、カード区分が一般客用カード（区分：０１）か否かを判定する（ステップＳ２５）。
【００３０】
カード区分が一般客用カードでなければ（ステップＳ２５：ＮＯ）、次に、カード区分が係員用カード（区分：０３）か否かを判定する（ステップＳ３５）。カード区分が係員用カードであれば（ステップＳ３５：ＹＥＳ）カードをただちに返却して（ステップＳ３６）、ステップＳ３８へ移行して両替処理を行う。なお、ステップＳ３８での両替処理の内容は、図６におけるステップＳ７〜Ｓ１３と同じであり、その詳細については既に述べた通りであるので、ここでは説明を省略する。カード区分が係員用カードでなければ（ステップＳ３５：ＮＯ）、そのカードは一時利用客用カードであると判断して、カードを返却せずにステップＳ３８へ移行して両替処理を行う。なお、ステップＳ３８において一時利用客用カードは回収される（図６のステップＳ１２参照）。
【００３１】
ステップＳ２５において、カード区分が一般客用カードであれば（ステップＳ２５：ＹＥＳ）、次に、カードに有効期限が記録されているか否かを判定する（ステップＳ２６）。有効期限が記録されている場合は（ステップＳ２６：ＹＥＳ）、続いて、カード利用日の当日が有効期限内か否かを判定する（ステップＳ２７）。有効期限内であれば（ステップＳ２７：ＹＥＳ）、図１７のような確認案内画面６０ａをタッチパネル１（図１）に表示する。この画面６０ａには、両替カードから読み取った有効期限が表示されている。画面６０ａにおいて利用客により確認ボタン６１が押されて確認がされると（ステップＳ２８）、ステップＳ３８へ移行して両替処理を行う。なお、ステップＳ３８において一般客用カードは返却される（図６のステップＳ１１参照）。
【００３２】
ステップＳ２６において、カードに有効期限が記録されていない場合は（ステップＳ２６：ＮＯ）、次に、自動両替装置Ａの記憶装置１８に有効期間（０か月以外）が設定されているか否かを判定する（ステップＳ２９）。有効期間が設定されていれば（ステップＳ２９：ＹＥＳ）、その設定された有効期間に基づいて、両替カードに、利用日から起算した有効期限をカード処理部１５により書き込む（ステップＳ３０）。その後、ステップＳ３８へ移行して両替処理を行う。また、有効期間が設定されていなければ（ステップＳ２９：ＮＯ）、有効期限運用はしないと判断して、そのままステップＳ３８へ移行して両替処理を行う。
【００３３】
一方、ステップＳ２７において、カード利用日の当日が有効期限内でなければ（ステップＳ２７：ＮＯ）、図１８のような有効期限切れ案内画面６０ｂをタッチパネル１に表示し、有効期限を更新するかどうかの選択を促す（ステップＳ３１）。案内画面６０ｂで有効期限延長ボタン６２が押されると（ステップＳ３２：ＹＥＳ）、記憶装置１８に設定された有効期間に基づいて、カードの利用日から起算した有効期限が両替カードに記録され、有効期限が更新されるとともに、タッチパネル１に、図２１のような更新完了案内画面６０ｅが表示される（ステップＳ３３）。この画面６０ｅでは、引き続き両替取引をするかどうかの選択を促し、両替取引ボタン６６が押されると（ステップＳ３４：ＹＥＳ）、ステップＳ３８へ移行して両替処理を行う。また、終了ボタン６７が押されると（ステップＳ３４：ＮＯ）、両替カードを返却して（ステップＳ３７）、処理を終了する。
【００３４】
こうして、第２実施形態によれば、カードの有効期限が表示されることで、利用者は両替カードがいつまで有効かを両替時に確認することができる。また、有効期限が未記録の両替カードに、カード利用日から起算した有効期限を記録するので、予め有効期限を記録した両替カードを発行する場合に比べて、有効期限をより弾力的に運用することができ、利用者の便宜が図られる。また、カード有効期限が切れているときは、カードの利用日から起算した有効期限を両替カードに記録して有効期限を更新するので、両替カードを引き続いて利用することができる。
【００３５】
図１１は、本発明の第３実施形態による自動両替装置Ａの動作を示したフローチャートであって、制御部１９のＣＰＵ２０によって実行される手順を示している。本実施形態は第２実施形態の変形例であって、有効期限更新時に手数料を徴収するようにした例である。最初に、カード挿入口５に両替カードが挿入されると（ステップＳ４１）、カード処理部１５（図２）が読み取ったカードの記録情報をチェックし（ステップＳ４２）、そのカードが使用可能なカードか否かを判定する（ステップＳ４３）。両替カード以外の他のカードのような使用可能でないカードの場合は（ステップＳ４３：ＮＯ）、挿入されたカードを返却して（ステップＳ６１）、終了する。使用可能なカードである場合は（ステップＳ４３：ＹＥＳ）、次に、カードに記録されているカード区分４０（図４）をチェックし（ステップＳ４４）、カード区分が一般客用カード（区分：０１）か否かを判定する（ステップＳ４５）。以上の手順は、図１０の場合と同じである。
【００３６】
カード区分が一般客用カードでなければ（ステップＳ４５：ＮＯ）、次に、カード区分が係員用カード（区分：０３）か否かを判定する（ステップＳ５９）。カード区分が係員用カードであれば（ステップＳ５９：ＹＥＳ）カードをただちに返却して（ステップＳ６０）、ステップＳ６２へ移行して両替処理を行う。なお、ステップＳ６２での両替処理の内容は、図６におけるステップＳ７〜Ｓ１３と同じであり、その詳細については既に述べた通りであるので、ここでは説明を省略する。カード区分が係員用カードでなければ（ステップＳ５９：ＮＯ）、そのカードは一時利用客用カードであると判断して、カードを返却せずにステップＳ６２へ移行して両替処理を行う。なお、ステップＳ６２において一時利用客用カードは回収される（図６のステップＳ１２参照）。以上の手順も図１０の場合と同じである。
【００３７】
ステップＳ４５において、カード区分が一般客用カードであれば（ステップＳ４５：ＹＥＳ）、次に、カードに有効期限が記録されているか否かを判定する（ステップＳ４６）。有効期限が記録されている場合は（ステップＳ４６：ＹＥＳ）、続いて、カード利用日の当日が有効期限内か否かを判定する（ステップＳ４７）。有効期限内であれば（ステップＳ４７：ＹＥＳ）、図１７のような確認案内画面６０ａをタッチパネル１（図１）に表示する。この画面６０ａには、両替カードから読み取った有効期限が表示されている。画面６０ａにおいて利用客により確認ボタン６１が押されて確認がされると（ステップＳ４８）、ステップＳ６２へ移行して両替処理を行う。なお、ステップＳ６２において一般客用カードは返却される（図６のステップＳ１１参照）。以上の手順も図１０の場合と同じである。
【００３８】
ステップＳ４６において、カードに有効期限が記録されていない場合は（ステップＳ４６：ＮＯ）、次に、自動両替装置Ａの記憶装置１８に有効期間（０か月以外）が設定されているか否かを判定する（ステップＳ５７）。有効期間が設定されていれば（ステップＳ５７：ＹＥＳ）、その設定された有効期間に基づいて、両替カードに、利用日から起算した有効期限をカード処理部１５により書き込む（ステップＳ５８）。その後、ステップＳ６２へ移行して両替処理を行う。また、有効期間が設定されていなければ（ステップＳ５７：ＮＯ）、有効期限運用はしないと判断して、そのままステップＳ６２へ移行して両替処理を行う。以上の手順も図１０の場合と同じである。
【００３９】
一方、ステップＳ４７において、カード利用日の当日が有効期限内でなければ（ステップＳ４７：ＮＯ）、図１８のような有効期限切れ案内画面６０ｂをタッチパネル１に表示し、有効期限を更新するかどうかの選択を促す（ステップＳ４９）。案内画面６０ｂで有効期限延長ボタン６２が押されると（ステップＳ５０：ＹＥＳ）、タッチパネル１の画面は図１９のような更新手数料案内画面６０ｃに切り替わり、更新手数料の支払いを受け付ける（ステップＳ５１）。更新手数料が支払われると、タッチパネル１の画面は図２０のような有効期限更新確認画面６０ｄに切り替わり、有効期限を更新するかどうかの確認を促す（ステップＳ５２）。そして、この画面６０ｄにおいて確認ボタン６４が押されると（ステップＳ５３：ＹＥＳ）、ステップＳ５４へ進み、取消ボタン６５が押されると（ステップＳ５３：ＮＯ）、支払われた更新手数料とともに両替カードを返却して（ステップＳ６１）、処理を終了する。なお、更新手数料の支払い方法としては、自動両替装置Ａで入金を受付けてもよいし、窓口で入金を受付けて、入金された手数料の情報をＬＡＮ等の通信手段を介して自動両替装置Ａに送るようにしてもよい。
【００４０】
ステップＳ５４では、記憶装置１８に設定された有効期間に基づいて、カードの利用日から起算した有効期限が両替カードに記録され、有効期限が更新される。このとき、受付けた更新手数料を収納部に収納するとともに、手数料の明細票を発行する。また、タッチパネル１には、図２１のような更新完了案内画面６０ｅが表示される（ステップＳ５５）。この画面６０ｅでは、引き続き両替取引をするかどうかの選択を促し、両替取引ボタン６６が押されると（ステップＳ５６：ＹＥＳ）、ステップＳ６２へ移行して両替処理を行う。また、終了ボタン６７が押されると（ステップＳ５６：ＮＯ）、両替カードを返却して（ステップＳ６１）、処理を終了する。
【００４１】
図１２は、本発明の第４実施形態における両替カード（一般客用カード）の記録内容を示した図である。ここでは、カード区分４０のほかに、度数４２の情報が記録されている。度数４２は、両替カードの発行時点で予めカードに記録しておいてもよいし、窓口で度数がゼロの両替カードを購入して、これを自動両替装置Ａに挿入したときに度数が記録されるようにしてもよい。なお、度数は両替した紙幣の枚数や包装硬貨の本数に応じて減算されてゆき、残度数の範囲内で両替が可能となる。
【００４２】
図１３は、上記第４実施形態による自動両替装置Ａの動作を示したフローチャートであって、制御部１９のＣＰＵ２０によって実行される手順を示している。最初に、カード挿入口５に両替カードが挿入されると（ステップＳ７１）、カード処理部１５（図２）が読み取ったカードの記録情報をチェックし（ステップＳ７２）、そのカードが使用可能なカードか否かを判定する（ステップＳ７３）。両替カード以外の他のカードのような使用可能でないカードの場合は（ステップＳ７３：ＮＯ）、挿入されたカードを返却して（ステップＳ８８）、終了する。使用可能なカードである場合は（ステップＳ７３：ＹＥＳ）、次に、カードに記録されているカード区分４０（図４）をチェックし（ステップＳ７４）、カード区分が一般客用カード（区分：０１）か否かを判定する（ステップＳ７５）。以上の手順は、図１０の場合と同じである。
【００４３】
カード区分が一般客用カードでなければ（ステップＳ７５：ＮＯ）、次に、カード区分が係員用カード（区分：０３）か否かを判定する（ステップＳ８６）。カード区分が係員用カードであれば（ステップＳ８６：ＹＥＳ）カードをただちに返却して（ステップＳ８７）、ステップＳ８９へ移行して両替処理を行う。なお、ステップＳ８９での両替処理の内容は、図６におけるステップＳ７〜Ｓ１３と同じであり、その詳細については既に述べた通りであるので、ここでは説明を省略する。カード区分が係員用カードでなければ（ステップＳ８６：ＮＯ）、そのカードは一時利用客用カードであると判断して、カードを返却せずにステップＳ８９へ移行して両替処理を行う。なお、ステップＳ８９において一時利用客用カードは回収される（図６のステップＳ１２参照）。以上の手順も図１０の場合と同じである。
【００４４】
ステップＳ７５において、カード区分が一般客用カードであれば（ステップＳ７５：ＹＥＳ）、次に、カード記録されている度数４２を読み取って、有効度数が残っているか否かを判定する（ステップＳ７６）。有効度数が残っている場合（度数が０でない場合）は（ステップＳ７６：ＹＥＳ）、図２２のような確認案内画面６０ｆをタッチパネル１（図１）に表示する。この画面６０ｆには、両替カードから読み取った残度数が表示されている。画面６０ｆにおいて利用客により確認ボタン６８が押されて確認がされると（ステップＳ７７）、ステップＳ８９へ移行して両替処理を行う。なお、ステップＳ８９において一般客用カードは返却される（図６のステップＳ１１参照）。
【００４５】
ステップＳ７６において、有効度数が残っていない場合（度数が０の場合）は（ステップＳ７６：ＮＯ）、図２３のような有効度数切れ案内画面６０ｇをタッチパネル１に表示し、度数を追加するかどうかの選択を促す（ステップＳ７８）。案内画面６０ｇで度数追加ボタン６９が押されると（ステップＳ７９：ＹＥＳ）、ステップＳ８０へ進み、取消ボタン７０が押されると（ステップＳ７９：ＮＯ）、カードを返却して（ステップＳ８８）、処理を終了する。ステップＳ８０では、タッチパネル１に図２４のような手数料案内画面６０ｈが表示され、手数料の支払いを受け付ける。手数料が支払われると、タッチパネル１の画面は図２５のような度数更新確認画面６０ｉに切り替わり、度数を更新するかどうかの確認を促す（ステップＳ８１）。そして、この画面６０ｉにおいて確認ボタン７１が押されると（ステップＳ８２：ＹＥＳ）、ステップＳ８３へ進み、取消ボタン７２が押されると（ステップＳ８２：ＮＯ）、支払われた手数料とともに両替カードを返却して（ステップＳ８８）、処理を終了する。なお、手数料の支払い方法としては、自動両替装置Ａで入金を受付けてもよいし、窓口で入金を受付けて、入金された金額の情報をＬＡＮ等の通信手段を介して自動両替装置Ａに送るようにしてもよい。
【００４６】
ステップＳ８３では、支払った手数料に応じた度数が両替カードに記録され、度数が更新される。このとき、受付けた手数料を収納部に収納するとともに、手数料の明細票を発行する。また、タッチパネル１には、図２６のような更新完了案内画面６０ｊが表示される（ステップＳ８４）。この画面６０ｊには、更新後の残度数が表示される。また、画面６０ｊでは引き続き両替取引をするかどうかの選択を促し、両替取引ボタン７３が押されると（ステップＳ８５：ＹＥＳ）、ステップＳ８９へ移行して両替処理を行う。また、終了ボタン７４が押されると（ステップＳ８５：ＮＯ）、両替カードを返却して（ステップＳ８８）、処理を終了する。
【００４７】
こうして、第４実施形態によれば、カードの有効度数が切れている場合に、入金された手数料に対応する度数が両替カードに記録されるので、度数の更新により両替カードを引き続いて利用することが可能となる。
【００４８】
図１４は、本発明の第５実施形態における両替カード（一般客用カード）の記録内容を示した図である。ここでは、カード区分４０や有効期限４１のほかに、最新使用年月日４３、月間使用可能回数４４、当月使用回数４５の情報が記録されている。最新使用年月日４３は、両替カードが自動両替装置Ａで使用された最新の年月日である。月間使用可能回数４４は、両替カードの発行時点で予めカードに記録されており、たとえば、利用者と金融機関との間の契約により、利用者の口座から毎月引き落とされる手数料に応じた回数が記録される。当月使用回数４５は、当月におけるカード使用回数の累計値であり、カードが１回利用されるたびに１ずつ加算されてゆき、月が変わればゼロにリセットされる。
【００４９】
図１５は、上記第５実施形態による自動両替装置Ａの動作を示したフローチャートであって、制御部１９のＣＰＵ２０によって実行される手順を示している。最初に、カード挿入口５に両替カードが挿入されると（ステップＳ１０１）、カード処理部１５（図２）が読み取ったカードの記録情報をチェックし（ステップＳ１０２）、そのカードが使用可能なカードか否かを判定する（ステップＳ１０３）。両替カード以外の他のカードのような使用可能でないカードの場合は（ステップＳ１０３：ＮＯ）、挿入されたカードを返却して（ステップＳ１２４）、処理を終了する。使用可能なカードである場合は（ステップＳ１０３：ＹＥＳ）、次に、カードに記録されているカード区分４０（図４）をチェックし（ステップＳ１０４）、カード区分が一般客用カード（区分：０１）か否かを判定する（ステップＳ１０５）。以上の手順は、図１０の場合と同じである。
【００５０】
カード区分が一般客用カードでなければ（ステップＳ１０５：ＮＯ）、次に、カード区分が係員用カード（区分：０３）か否かを判定する（ステップＳ１１７）。カード区分が係員用カードであれば（ステップＳ１１７：ＹＥＳ）カードをただちに返却して（ステップＳ１１８）、入金紙幣の受付、両替設定の受付、両替金の繰出し、入金紙幣の収納等の処理を行う（ステップＳ１１９）。カード区分が係員用カードでなければ（ステップＳ１１７：ＮＯ）、そのカードは一時利用客用カードであると判断して、カードを返却せずにステップＳ１１９へ移行して上述した処理を行う。ステップＳ１１９の処理が終わると、次に、カード処理部１５にカードがあるかどうかをみて（ステップＳ１２０）、カードがあれば（ステップＳ１２０；ＹＥＳ）、そのカードは一時利用客用カードであるから回収し（ステップＳ１２１）、最後に両替金を放出して（ステップＳ１１３）、処理を終了する。
【００５１】
ステップＳ１０５において、カード区分が一般客用カードであれば（ステップＳ１０５：ＹＥＳ）、次に、カード利用日の当日が有効期限内か否かを判定する（ステップＳ１０６）。有効期限内でなければ（ステップＳ１０６：ＮＯ）、図２７のようなエラー表示画面６０ｋをタッチパネル１に表示し（ステップＳ１２２）、カードを返却して（ステップＳ１２４）、処理を終了する。有効期限内であれば（ステップ１０６：ＹＥＳ）、次に、両替カードから読み取った最新使用年月日４３が当月か否かを判定する（ステップＳ１０７）。最新使用年月日４３が当月であれば（ステップＳ１０７：ＹＥＳ）、続いて、両替カードから読み取った当月使用回数４５が、月間使用可能回数４４に達しているか否かを判定する（ステップＳ１０８）。当月使用回数が月間使用可能回数に達しておれば（ステップＳ１０８：ＹＥＳ）、今回のカード使用により当月使用回数が月間使用可能回数を超えることになるので、図２８のようなエラー表示画面６０ｍをタッチパネル１に表示し（ステップＳ１２３）、カードを返却して（ステップＳ１２４）、処理を終了する。当月使用回数が月間使用可能回数に達していなければ（ステップＳ１０８：ＮＯ）、今回のカード使用により当月使用回数が月間使用可能回数を超えることはないので、ステップＳ１０９へ移行して、入金紙幣の受付、両替設定の受付、両替金の繰出し、入金紙幣の収納等の処理を行う。その後、当月使用回数に１を加算して当月使用回数４５を更新し（ステップＳ１１０）、この値をカード処理部１５により両替カードに書き込む（ステップＳ１１１）。
【００５２】
一方、ステップＳ１０７において、両替カードから読み取った最新使用年月日４３が当月でない場合は（ステップＳ１０７：ＮＯ）、ステップＳ１１４へ移行して、入金紙幣の受付、両替設定の受付、両替金の繰出し、入金紙幣の収納等の処理を行う。その後、最新使用年月日を当月として最新使用年月日４３を更新し（ステップＳ１１５）、さらに、当月使用回数４５を１として（ステップＳ１１６）、これらの値をカード処理部１５により両替カードに書き込む（ステップＳ１１１）。
【００５３】
ステップＳ１１１を実行した後、図２９のようなカード返却案内画面６０ｎをタッチパネル１に表示して、両替カードを返却し（ステップＳ１１２）、最後に両替金を放出して（ステップＳ１１３）、処理を終了する。
【００５４】
こうして、第５実施形態によれば、両替カードは所定期間（ここでは１か月）内の使用可能回数の範囲で使用が可能であり、カードの使用回数が使用可能回数を超える場合は両替が禁止されるので、これによって、両替カードの使用回数を制限することができる。
【００５５】
図１６は、本発明の第６実施形態による自動両替装置Ａの動作を示したフローチャートであって、制御部１９のＣＰＵ２０によって実行される手順を示している。本実施形態は、両替カードをその発行支店でのみ利用可能とするような運用を行う場合の例であり、支店番号が未記録の両替カードに対して、両替装置が設置されている支店の支店番号を記録するものである。
【００５６】
最初に、カード挿入口５に両替カードが挿入されると（ステップＳ２０１）、カード処理部１５（図２）が読み取ったカードの記録情報をチェックし（ステップＳ２０２）、そのカードが使用可能なカードか否かを判定する（ステップＳ２０３）。両替カード以外の他のカードのような使用可能でないカードの場合は（ステップＳ２０３：ＮＯ）、図３０のようなカード使用不可案内画面６０ｐをタッチパネル１に表示して（ステップＳ２１０）、挿入されたカードを返却し（ステップＳ２１１）、処理を終了する。使用可能なカードである場合は（ステップＳ２０３：ＹＥＳ）、次に、カードに記録されているカード区分４０（図４）をチェックし（ステップＳ２０４）、カード区分が一般客用カード（区分：０１）か否かを判定する（ステップＳ２０５）。
【００５７】
カード区分が一般客用カードでなければ（ステップＳ２０５：ＮＯ）、次に、カード区分が係員用カード（区分：０３）か否かを判定する（ステップＳ２１２）。カード区分が係員用カードであれば（ステップＳ２１２：ＹＥＳ）カードをただちに返却して（ステップＳ２１３）、ステップＳ２１４へ移行して両替処理を行う。なお、ステップＳ２１４での両替処理の内容は、図６におけるステップＳ７〜Ｓ１３と同じであり、その詳細については既に述べた通りであるので、ここでは説明を省略する。カード区分が係員用カードでなければ（ステップＳ２１２：ＮＯ）、そのカードは一時利用客用カードであると判断して、カードを返却せずにステップＳ２１４へ移行して両替処理を行う。なお、ステップＳ２１４において一時利用客用カードは回収される（図６のステップＳ１２参照）。
【００５８】
ステップＳ２０５において、カード区分が一般客用カードであれば（ステップＳ２０５：ＹＥＳ）、次に、カードに支店番号４６（図４）が記録されているか否かを判定する（ステップＳ２０６）。支店番号が記録されている場合は（ステップＳ２０６：ＹＥＳ）、続いて、その両替カードが自支店のカードか否か、すなわち、カードに記録されている支店番号４６が、自動両替装置Ａの記憶装置１８に設定されている支店番号（図２）と一致するか否かを判定する（ステップＳ２０７）。両者が一致すれば、その両替カードが自支店のカードであると判断して（ステップＳ２０７：ＹＥＳ）、ステップＳ２１４へ移行し、両替処理を行う。両者が一致しなければ、その両替カードは自支店のカードではない判断して（ステップＳ２０９：ＮＯ）、図３１のような他支店カード使用不可案内画面６０ｑをタッチパネル１に表示して（ステップＳ２０９）、挿入されたカードを返却し（ステップＳ２１１）、処理を終了する。また、ステップＳ２０６において両替カードに支店番号が記録されていない場合は（ステップＳ２０６：ＮＯ）、記憶装置１８に設定されている支店番号をカードに書き込み（ステップＳ２０８）、その後ステップＳ２１４へ移行し、両替処理を行う。
【００５９】
こうして、第６実施形態によれば、支店番号が記録されていないカードが挿入された場合に、自動両替装置Ａがそのカードに支店番号を記録することで、以降、そのカードは当該支店でのみ使用できる両替カードとなる。したがって、金融機関の本部では各支店ごとの両替カードを作成したり管理したりすることは不要であり、支店番号が未記録のカードを全支店に配布するだけでよい。また、支店の統廃合等により他の支店に業務を引継ぐ場合も、支店番号を書き換えるだけで他の支店で両替を行うことができるため、カード再発行の手間も省くことができる。支店番号の書き換えは、旧支店番号に新支店番号を上書きすることで簡単に行える。また、支店番号の書き換えは窓口で行ってもよいが、自動両替装置Ａで行うことも可能である。この場合は、新支店の自動両替装置に旧支店の支店番号と新支店の支店番号とを設定しておき、挿入された両替カードに記録されている支店番号が旧支店の番号かどうかを判別して、旧支店の番号のカードであれば、新支店の支店番号に書き換えるようにすればよい。あるいは、支店番号を書き換えずに、旧支店番号のカードであることを判別することで、両替を許容するようにしてもよい。
【００６０】
本発明は上述した実施形態のみに限定されるものではなく、他にも種々の形態を採用することができる。たとえば、上記実施形態においては、一時的に両替を行う一時利用客に対して、専用のカード（一時利用客用カード）を用意したが、一時利用客に対して係員用カードで対応するようにしてもよい。この場合、利用客から手数料を徴収し、その手数料の範囲で両替を可能とするような運用が考えられる。このときの自動両替装置Ａへの手数料の入力方法としては、係員がタッチパネル１において入力してもよいし、窓口に設置されている端末装置に手数料を入力して、これをＬＡＮ等の通信手段を介して自動両替装置Ａへ送信するようにしてもよい。
【００６１】
また、一時利用客用カードについては、あらかじめ手数料に応じた数種類のカードを用意しておき、それぞれの手数料の範囲で両替ができるようにしてもよい。
【００６２】
さらに、上記実施形態においては、自動両替装置Ａとして両替専用機を例に挙げたが、本発明の自動両替装置はこれに限らず、たとえばＡＴＭ（現金自動預金支払機）に自動両替の機能が備わったものであってもよい。
【００６３】
【発明の効果】
本発明によれば、カードを持参しない利用者も両替装置での両替が可能となるとともに、利用者がカードを持ち帰って再利用するのを防止することができる。また、両替装置はカードの発行機能を必要としないので、既存の両替装置で対応することが可能となる。
【図面の簡単な説明】
【図１】本発明の実施形態に係る自動両替装置の外観図である。
【図２】自動両替装置の電気的構成を示すブロック図である。
【図３】両替カードを示した概略図である。
【図４】両替カードに記録されているデータ内容の例である。
【図５】係員パネル部の設定画面の例である。
【図６】第１実施形態による自動両替装置の動作を示すフローチャートである。
【図７】第２実施形態における両替カードの記録内容を示した図である。
【図８】係員パネル部の設定画面の例である。
【図９】係員パネル部の設定画面の例である。
【図１０】第２実施形態による自動両替装置の動作を示すフローチャートである。
【図１１】第３実施形態による自動両替装置の動作を示すフローチャートである。
【図１２】第４実施形態における両替カードの記録内容を示した図である。
【図１３】第４実施形態による自動両替装置の動作を示すフローチャートである。
【図１４】第５実施形態における両替カードの記録内容を示した図である。
【図１５】第５実施形態による自動両替装置の動作を示すフローチャートである。
【図１６】第６実施形態による自動両替装置の動作を示すフローチャートである。
【図１７】確認案内画面の例である。
【図１８】有効期限切れ案内画面の例である。
【図１９】更新手数料案内画面の例である。
【図２０】有効期限更新確認画面の例である。
【図２１】更新完了案内画面の例である。
【図２２】確認案内画面の例である。
【図２３】有効度数切れ案内画面の例である。
【図２４】手数料案内画面の例である。
【図２５】度数更新確認画面の例である。
【図２６】更新完了案内画面の例である。
【図２７】エラー表示画面の例である。
【図２８】エラー表示画面の例である。
【図２９】カード返却案内画面の例である。
【図３０】カード使用不可案内画面の例である。
【図３１】他支店カード使用不可案内画面の例である。
【符号の説明】
Ａ  自動両替装置
１  タッチパネル
２  紙幣入出金口
３  硬貨取出口
４  包装硬貨取出口
５  カード挿入口
１１  操作部
１２  表示部
１３  紙幣処理部
１４  硬貨処理部
１５  カード処理部
１６  外部インターフェイス
１７  係員パネル部
１８  記憶装置
１９  制御部
２０  ＣＰＵ
２１  ＲＡＭ
２２  ＲＯＭ
３０Ａ  両替カード（一般客用カード）
３０Ｂ  両替カード（一時利用客用カード）
３０Ｃ  両替カード（係員用カード）
３１Ａ，３１Ｂ，３１Ｃ  情報記録領域
４０  カード区分
４１  有効期限
４２  度数
４３  最新使用年月日
４４  月間使用可能回数
４５  当月使用回数
４６  支店番号
【図１】
0003999011.tif 000002
【図２】
0003999011.tif 000003
【図３】
0003999011.tif 000004
【図４】
0003999011.tif 000005
【図５】
0003999011.tif 000006
【図６】
0003999011.tif 000007
【図７】
0003999011.tif 000008
【図８】
0003999011.tif 000009
【図９】
0003999011.tif 000010
【図１０】
0003999011.tif 000011
【図１１】
0003999011.tif 000012
【図１２】
0003999011.tif 000013
【図１３】
0003999011.tif 000014
【図１４】
0003999011.tif 000015
【図１５】
0003999011.tif 000016
【図１６】
0003999011.tif 000017
【図１７】
0003999011.tif 000018
【図１８】
0003999011.tif 000019
【図１９】
0003999011.tif 000020
【図２０】
0003999011.tif 000021
【図２１】
0003999011.tif 000022
【図２２】
0003999011.tif 000023
【図２３】
0003999011.tif 000024
【図２４】
0003999011.tif 000025
【図２５】
0003999011.tif 000026
【図２６】
0003999011.tif 000027
【図２７】
0003999011.tif 000028
【図２８】
0003999011.tif 000029
【図２９】
0003999011.tif 000030
【図３０】
0003999011.tif 000031
【図３１】
0003999011.tif 000032